(57)【要約】【課題】利用者にとって利便性のよいデータ保護に関する設定や確認を実行すること。【解決手段】信号処理制御部４０が備えるデータ管理部１０１は、放送波処理部２０やネットワークＩＦ部５１などから入力されたデータをＨＤＤ７１に保存する。またＨＤＤ７１に保存されたデータＤａは、実データＤａｒと実データＤａｒの編集を多重に保護するための保護データＤａｐとを含む。そして保護データＤａｐは複数の保護情報で構成され、この保護情報は任意のユーザが任意の用途で設定が可能である。またデータ管理部１０１は、ＨＤＤ７１に保存されたデータ毎の保護データＤａｐのそれぞれの保護情報までも提示してさらにそれぞれの保護情報の設定が可能な画面を、ＯＳＤ生成部１０２によりＯＳＤとして生成させる。【選択図】  図１
2010238155.tif 000002
【特許請求の範囲】
【請求項１】
保存されたデータそれぞれの編集に対する保護を複数の制御情報によって多重に管理する管理手段と、
前記管理手段が管理する前記複数の制御情報それぞれの状態を、それぞれに異なる一意的な識別子によって示し、前記データに対応させて提示する提示手段と、
を具備することを特徴とするデータ保護装置。
【請求項２】
前記管理手段は、前記複数の制御情報の中からの任意の制御情報の設定の切替えをユーザに許可することを特徴とする請求項１記載のデータ保護装置。
【請求項３】
前記管理手段が設定の切替えをユーザに許可すると共に、前記提示手段が前記複数の制御情報の状態を提示することを特徴とする請求項２記載のデータ保護装置。
【請求項４】
前記提示手段は、特定の識別子によってフィルタリングして、このフィルタリングによって抽出されたデータと当該データに対応する前記複数の制御情報を提示することを特徴とする請求項１記載のデータ保護装置。
【請求項５】
保存されたデータそれぞれの編集に対する保護を複数の制御情報によって多重に管理し、
前記複数の制御情報それぞれの状態を、それぞれに異なる一意的な識別子によって示し、前記データに対応させて提示する、
ことを特徴とするデータ保護方法。
【発明の詳細な説明】
【技術分野】
【０００１】
本発明は、保存したデータの削除や移動などの編集を保護するデータ保護装置およびデータ保護方法に関する。
【背景技術】
【０００２】
近年、放送波や外部機器から入力された音声データや映像データ、特定のプログラムにより作成した文書データなどを記録媒体に保存するコンテンツ保存装置が広く普及している。そしてコンテンツ保存装置は、保存したコンテンツのデータに対する削除や他の記録媒体への移動といった編集を許可している。
【０００３】
例えば特許文献１では、コンテンツの記録、再生を行う際にユーザ認証を行って、認証されたユーザの当該コンテンツに対する再生有無、再生制限などの記録再生履歴情報を管理する。そして複数のユーザに対する記録再生履歴情報を表示可能とすることで、認証されたユーザはコンテンツに対する複数のユーザ毎の再生情報などを把握して、認証されたユーザに対して編集を許可されたコンテンツのデータに対して編集を実行することができる。すなわち、編集を許可されていないユーザによるコンテンツのデータの編集を禁止してデータを保護する手法が公開されている。
【先行技術文献】
【特許文献】
【０００４】
【特許文献１】特開２００４−１９９７４１号公報（図１  段落０１８１）
【発明の概要】
【発明が解決しようとする課題】
【０００５】
しかし特許文献１による手法は、データ保護に関する設定や確認をユーザ認証に基づいて実行する手法であったので、任意のユーザによる任意の用途に対応したデータ保護に関する設定や確認を実行することはできず、利用者にとって利便性のよいデータ保護手法ではなかった。
【０００６】
そこで、本発明は上述した課題を解決するために、利用者にとって利便性のよいデータ保護に関する設定や確認を実行することができるデータ保護装置およびデータ保護方法を提供することを目的とする。
【課題を解決するための手段】
【０００７】
本発明は上述した課題を解決するため、保存されたデータそれぞれの編集に対する保護を複数の制御情報によって多重に管理する管理手段と、前記管理手段が管理する前記複数の制御情報それぞれの状態を、それぞれに異なる一意的な識別子によって示し、前記データに対応させて提示する提示手段と、を具備することを特徴とするものである。
【０００８】
また本発明は上述した課題を解決するため、保存されたデータそれぞれの編集に対する保護を複数の制御情報によって多重に管理し、前記複数の制御情報それぞれの状態を、それぞれに異なる一意的な識別子によって示し、前記データに対応させて提示する、ことを特徴とするものである。
【発明の効果】
【０００９】
本発明によれば、利用者にとって利便性のよいデータ保護に関する設定や確認を実行することができる。
【図面の簡単な説明】
【００１０】
【図１】本発明の実施形態に係るデータ保護装置であるテレビジョン受像機の構成を示すブロック図。
【図２】リモコンＲＣに設けられる複数の操作キーを示す図。
【図３】ＨＤＤに保存されている複数のデータの保護の状態を提示または保護の設定を切替えるための画面の一実施形態を示す図。
【図４】ＨＤＤに保存されている複数のデータの保護の状態を提示する画面の様々な実施形態を示す図。
【図５】データリスト画面におけるデータ提示の形態の様々な実施形態を示す図。
【発明を実施するための形態】
【００１１】
以下、本発明における実施形態について図面を用いて説明する。
図１は、本発明の実施形態に係るデータ保護装置であるテレビジョン受像機の構成を示すブロック図である。なお本実施形態ではデータ保護装置をテレビジョン受像機に適用した例を示すが、本実施形態と同様の構成を備えたＨＤＤレコーダ、ＤＶＤレコーダ、情報処理端末、携帯移動端末などであってもよい。またさらには、ラジオ放送やインターネット等を用いた有線放送などを受信する放送受信装置である、例えばセットトップボックスなどであってもよい。
【００１２】
テレビジョン受像機１０は、放送波処理部２０、操作部３１、受光部３２、信号処理制御部４０、ネットワークＩＦ部５１、表示器６１、スピーカ６２、ＨＤＤ７１などで構成されている。
【００１３】
放送波処理部２０は、アンテナＡＴによって受信されたデジタル放送波やアナログ放送波の信号を取得して、この取得した信号に対して特定チャンネルの選局および復調復号処理を施し、映像音声データやＥＰＧを作成するためのデータなどを信号処理制御部４０に出力する。
【００１４】
ネットワークＩＦ部５１は、ＬＡＮ、ＷＡＮなどによりインターネットやネットワークに接続し、この接続したネットワークを介して提供される番組などの映像音声データやＥＰＧを作成するためのデータなどを取得して信号処理制御部４０へ出力する。またネットワークＩＦ部５１は、ＬＡＮなどにより外部ＨＤＤやメモリーカードなどの記録媒体に接続して、番組などの映像音声データや、写真データ、文書データなど様々なデータをやりとりする。
【００１５】
操作部３１は、装置を操作する操作入力の情報を受信して信号処理制御部４０へ当該情報を出力する。同様に受光部３２は、リモコンＲＣからの操作入力の情報を受光（受信）して信号処理制御部４０へ当該情報を出力する。本実施形態では操作部３１または受光部３２は、録画（保存）したデータを保護する設定を行うための選択肢を選択する操作入力や、録画（保存）した複数のデータの保護の状態を提示または保護の設定を切替えるための画面において所定条件に基づいて提示する項目を切り替える操作入力などの情報を受信して信号処理制御部４０へ出力する。
【００１６】
ＨＤＤ７１は、信号処理制御部４０に入力されて処理された映像音声データなどの様々なデータを保存するための記録媒体である。本実施形態ではＨＤＤ７１は、所定条件の下で編集を許可した状態となるように管理されたデータを保存する。
【００１７】
信号処理制御部４０は、放送波処理部２０やネットワークＩＦ部５１などから入力された様々なデータに対して、ＭＰＥＧ符号化／復号化演算処理、または映像信号と音声信号の分離処理、または入力信号からのデータ抽出処理、または圧縮された信号の解凍処理など様々な処理を施して表示器６１へ映像信号を出力し、スピーカ６２へ音声信号を出力する。
【００１８】
また信号処理制御部４０は、図示しない外部機器接続部を介して入力される番組などの映像音声データ（信号）に対しても様々な処理を施して、表示器６１やスピーカ６２へ信号を出力する。なお、図示しない外部機器接続部は、信号を入力する接続端子を備えた接続モジュールであって、映像音声データ（信号）を出力または提供する外部機器に接続される。
【００１９】
さらにまた信号処理制御部４０は、上述した各部から入力された映像音声データに対する、削除や他の記録媒体への移動などの編集を所定条件で許可した状態でＨＤＤ７１に録画（保存）する。すなわち、ＨＤＤ７１に保存されたデータは無条件での編集から保護された状態で管理されている。
【００２０】
さらに、信号処理制御部４０はＣＰＵを備えていて、操作部３１や受光部３２から入力された操作入力情報に対応して、自身に備えられた各ブロックや自身に接続された各ブロックを利用して複数の処理の実行を制御する。
【００２１】
本実施形態では信号処理制御部４０は、ＨＤＤ７１に保存したデータの保護の管理処理や、グラフィックユーザインターフェース部品としてのＯＳＤを生成する処理などを行う。
【００２２】
具体的に信号処理制御部４０は、上記の処理を実行する機能ブロックとして、データ管理部１０１、ＯＳＤ生成部１０２を備えている。
データ管理部１０１は、信号処理制御部４０に接続された各ブロックから入力されたデータを、所定条件で編集を許可した状態となるように管理してＨＤＤ７１に保存する。
【００２３】
具体的には図１に示したＨＤＤ７１の概念図のように、ＨＤＤ７１に保存されるデータＤａは、映像音声データなどの実データＤａｒと、実データＤａｒの編集を多重に保護するための保護データＤａｐとを含む。なお、データＤｂ〜Ｄｄや、その他のデータも同様のデータ構造を持つ。さらに具体的には、保護データＤａｐは利用者による設定の切替が可能な４つの保護情報で構成されるので、保護データＤａｐによって実データＤａｒの編集は４重に保護することができる。つまり換言すれば、保護情報はデータの編集を多重に保護する制御のために必要な制御情報である。
【００２４】
また、図１示したＨＤＤ７１の概念図において黒で表示されている保護情報は、保護設定されている状態を概念的に示していて、すなわち保護データＤａｐは、２重の保護として設定されている状態を示している。同様に、保護データＤｂｐは保護なしとして、Ｄｃｐは２重の保護として、Ｄｄｐは３重の保護としてそれぞれ設定されている状態を示している。
【００２５】
すなわち、データ管理部１０１は、ＨＤＤ７１に保存した制御情報である保護情報を管理することで、データの編集を多重に保護するように制御するものである。
なおＨＤＤ７１に保存されるデータの構造は、本実施形態で説明する形態に限定されるものでないことはいうまでもない。
またデータ管理部１０１は、ＨＤＤ７１に保存されている個々のデータの保護の状態を提示または保護の設定を切替えるためのＯＳＤの生成をＯＳＤ生成部１０２に要求する。
【００２６】
ＯＳＤ生成部１０２は、データ管理部１０１が要求したＯＳＤを生成して、表示器６１に出力する。
表示器６１は、信号処理制御部４０から入力された映像信号により動画像やＯＳＤを表示する表示モジュールであって、例えばＬＣＤ（Liquid  Crystal  Display）などの薄型ディスプレイである。本実施形態では表示器６１は、ＨＤＤ７１に保存されている複数のデータの保護の状態を提示または保護を設定するためのＯＳＤを表示する。
【００２７】
スピーカ６２は、信号処理制御部４０から入力された音声信号を出力する。
すなわち、本発明の実施形態に係るデータ保護装置であるテレビジョン受像機１０は、以上の構成により、ＨＤＤ７１に保存したデータを所定条件で編集を許可された状態となるように管理して、この管理によるデータの保護の状態を提示またはデータの保護の設定を切替える画面を出力する。なお、これらの処理は主に、操作部３１やリモコンＲＣに備えられた複数のキーが押下されることで発せられる操作入力の情報を受信した信号処理制御部４０によって実行されるものである。
【００２８】
次に図２を用いて、受光部３２が受信する操作入力の情報を発するリモコンＲＣに設けられる複数の操作キーを説明する。
図２は、リモコンＲＣに設けられる複数の操作キーを示す図である。
利用者は、ＭＥＮＵキー２０１やリストキー２０２により、表示器６１にデータの保護の状態を提示または保護の設定を切替えるＯＳＤを表示させ、続いて上下左右の方向キー２０４により選択肢を選択し、決定キー２０５により選択した選択肢への設定または設定解除を行う。
【００２９】
また利用者は、カラーキー２０３やチャンネルキー２０６によっても、上下左右の方向キー２０４により選択された選択肢への設定または設定解除を行うことができる。
【００３０】
なおチャンネルキー２０６は、図１に示した放送波処理部２０により選局されるチャンネルを指定するためにも利用されることは言うまでもない。
すなわち、本実施形態に係るデータ保護装置であるテレビジョン受像機１０は、リモコンＲＣに設けられた複数の操作キーに対する操作入力に基づいて、ＨＤＤ７１に保存したデータの保護設定に関する処理を実行する。
【００３１】
次に図３を用いて、ＨＤＤ７１に保存されている複数のデータの保護の状態を提示または保護の設定を切替えるための画面の一実施形態を説明する。
図３は、ＨＤＤ７１に保存されている複数のデータの保護の状態を提示または保護の設定を切替えるための画面の一実施形態を示す図である。
利用者は、リモコンＲＣに設けられたＭＥＮＵキー２０１やリストキー２０２によりデータリスト画面３０１を表示することができる。そして利用者は、データリスト画面３０１によって、ＨＤＤ７１に保存されたデータの保護の状態を把握することができる。
【００３２】
具体的にはデータリスト画面３０１には、データＤａ〜Ｄｄそれぞれに対する４つの保護情報を示すために、それぞれのデータと列Ｃ１〜Ｃ４の４つの列とでマトリクス状に複数の選択肢が割当てられている。そしてそれぞれの選択肢に表示される鍵マークは、列Ｃ１には青色、列Ｃ２には赤色、列Ｃ３には緑色、列Ｃ４には黄色、とそれぞれ識別可能に色分けされている。すなわちデータリスト画面３０１においては、４色の鍵マークが４つの保護情報を示すための識別子として利用される。
【００３３】
なお鍵マークが表示されている選択肢は、データの保護が設定されている状態を示し、鍵マークが表示されていない選択肢は、データの保護が設定されていない状態を示している。
【００３４】
具体的には図３に示したデータリスト画面３０１では、データＤａに対しては列Ｃ１に青の鍵マークが表示されていて、列Ｃ２〜Ｃ４には鍵マークが表示されていないので、データＤａは１重の保護が設定されている状態を示している。またデータＤｂに対しては全ての列に鍵マークがないのでデータＤｂは保護されていない状態を示している。さらにデータＤｃに対しては、列Ｃ２に赤の鍵マーク、列Ｃ３に緑の鍵マークが表示されているので、データＤｂは２重の保護が設定されている状態を示している。そしてデータＤｄに対しては、列Ｃ２に赤の鍵マーク、列Ｃ３に緑の鍵マークが表示されていているので、データＤｄは２重の保護が設定されている状態を示している。
【００３５】
すなわち利用者は、各データに対応する４つの選択肢に表示される鍵マークの合計数により、それぞれのデータが何重に保護されている状態かを把握することができる。
【００３６】
また利用者は、リモコンＲＣに設けられた上下左右の方向キー２０４により選択肢を選択することができる。そして利用者は、鍵マークが表示されていない選択肢が選択されているときに決定キー２０５を押下することで、当該選択肢に鍵マークを表示させ、すなわち保護設定されている状態にすることができる。また逆に、利用者は、鍵マークが表示されている選択肢が選択されているときに決定キー２０５を押下することで、当該選択肢に表示されている鍵マークを消し、すなわち保護設定されていない状態にすることができる。
【００３７】
また利用者は、上下の方向キー２０４によりデータＤａ〜Ｄｄから任意の一つのデータを選択してカラーキー２０３の中の特定の色のキーを押下することで、押下されたキーの色に対応する選択肢の鍵マークを表示または非表示とすることができる。そして、鍵マークの表示または非表示に応じて、当該データの保護設定の状態が変化する。
【００３８】
またさらに、チャンネルキー２０６の１〜４までの数字ボタンを列Ｃ１〜Ｃ４に対応させることで、利用者は、上下の方向キー２０４によりデータＤａ〜Ｄｄから任意の一つのデータを選択してチャンネルキー２０６の１〜４までの数字ボタンを押下することで、当該データの保護設定の状態を変化させることができる。
【００３９】
すなわち、データの保護設定の状態を変化させる操作のために割当てられたリモコンＲＣに設けられたキーは、様々な実施形態が考えられる。
なお鍵マークの色は、データリスト画面３０１における列Ｃ１〜Ｃ４それぞれの列に対応しているものであるので、利用者の取り決めによって様々な形態で運用することが可能である。
【００４０】
具体的には、テレビジョン受像機１０をＡさん、Ｂさん、Ｃさん、Ｄさんの４人で共有している場合を例に挙げる。この例では、列Ｃ１はＡさん用、列Ｃ２はＢさん用、列Ｃ３はＣさん用、列Ｃ３はＤさん用と割り当ててもよい。またテレビジョン受像機１０をＡさん、Ｂさん、Ｃさんの３人で共有している場合には、列Ｃ１はＡさん用、列Ｃ２はＢさん用、列Ｃ３はＣさん用、列Ｃ３は不特定に利用可能、と割り当ててもよい。
【００４１】
すなわち、テレビジョン受像機１０を複数人で共有している場合には、当該複数人の利用者により任意の用途に対応することが可能となる。
次に図４を用いて、ＨＤＤ７１に保存されている複数のデータの保護の状態を提示する画面の様々な実施形態を説明する。
図４は、ＨＤＤ７１に保存されている複数のデータの保護の状態を提示する画面の様々な実施形態を示す図である。
図４（ａ）に示した画面は、保護が設定されていないデータの保護の状態をリスト表示した画面である。なお、図３に示したデータリスト画面３０１が表示されているときに、リモコンＲＣに設けられたリストキー２０２が押下されると、図４（ａ）に示す画面が表示される。
【００４２】
なお図４（ａ）に示す画面は、“保護なしデータ”をリスト表示しているので鍵マークは表示されない。具体的には、列Ｃ１〜Ｃ４のいずれにも鍵マークが表示されていないデータ、すなわち保護されていないデータＤｂがリスト表示される。
【００４３】
図４（ｂ）に示した画面は、保護が設定されている全てのデータの保護の状態をリスト表示した画面である。なお、図４（ａ）に示した画面が表示されているときに、リモコンＲＣに設けられたリストキー２０２が押下されると、図４（ｂ）に示す画面が表示される。
【００４４】
なお図４（ｂ）に示す画面は、“保護ありデータ”をリスト表示しているので、各データの列Ｃ１〜Ｃ４には鍵マークが適宜表示される。具体的には、列Ｃ１〜Ｃ４のいずれかに鍵マークが表示されているデータＤａ、Ｄｃ、Ｄｄが、リスト表示される。
【００４５】
図４（ｃ）に示した画面は、青列（列Ｃ１）に保護設定されている全てのデータの保護の状態をリスト表示した画面である。なお、図４（ｂ）に示した画面が表示されているときに、リモコンＲＣに設けられたリストキー２０２が押下されると、図４（ｃ）に示す画面が表示される。
【００４６】
なお図４（ｃ）に示す画面は、“保護（青）ありデータ”をリスト表示しているので、列Ｃ１に鍵マークが表示されているデータ全てがリスト表示される。具体的には、列Ｃ１に鍵マークが表示されているデータＤａ、Ｄｄがリスト表示される。
【００４７】
図４（ｄ）に示した画面は、赤列（列Ｃ２）に保護設定されている全てのデータの保護の状態をリスト表示した画面である。なお、図４（ｃ）に示した画面が表示されているときに、リモコンＲＣに設けられたリストキー２０２が押下されると、図４（ｄ）に示す画面が表示される。
【００４８】
なお図４（ｄ）に示す画面は、“保護（赤）ありデータ”をリスト表示しているので、列Ｃ２に鍵マークが表示されているデータ全てがリスト表示される。具体的には、列Ｃ２に鍵マークが表示されているデータＤｃ、Ｄｄがリスト表示される。
【００４９】
すなわち、保護の状態を提示する画面に表示されるデータを、当該画面上の識別子である鍵マークの色によってフィルタリングすることで様々な条件に基づいて切替えることができるので、特定のデータの保護に関する設定状態の把握を、様々な目的に対応して行うことができ、利用者の利便性が向上する。
【００５０】
なお、上述したそれぞれの画面は、リストキー２０２ではない他のキーによって切り替えられる実施形態であってもよい。
次に図５を用いて、図３に示したデータリスト画面３０１におけるデータ提示の形態の様々な例を説明する。
図５は、データリスト画面３０１におけるデータ提示の形態の様々な実施形態を示す図である。
図５（ａ）に示す画面は、図３に示したデータリスト画面３０１を基に、鍵マークを左詰めして表示した実施形態である。すなわち、同一の列Ｃ１〜Ｃ４の中に異なる色の鍵マークが表示される場合がある。しかし、それぞれの保護情報に対応する鍵マークの色が異なるので、利用者からは識別可能である。また鍵マークを並べる起点が定まっているので、鍵マークの合計数が把握しやすくなる。
【００５１】
また図５（ｂ）に示す画面のように、図３に示したデータリスト画面３０１を基に、鍵マークを右詰めして表示した実施形態であってもよい。
図５（ｃ）に示す画面は、図３に示したデータリスト画面３０１を基に、鍵マークではなく外形が異なるマークによって表示した実施形態である。具体的には、青色の鍵マークが○マークに、赤色の鍵マークが△マークに、緑色の鍵マークが□マークに、黄色の鍵マークが☆マークに置き換わった実施形態である。
【００５２】
図５（ｄ）に示す画面は、図３に示したデータリスト画面３０１を基に、鍵マークではなく数字や平仮名、片仮名、アルファベットなどの文字によって表示した実施形態である。具体的には、青色の鍵マークがアルファベット“Ａ”に、赤色の鍵マークが数字“２”に、緑色の鍵マークが平仮名“か”に、黄色の鍵マークが片仮名“サ”に置き換わった実施形態である。
【００５３】
すなわち、利用者が各データの保護状態を把握するためのマークは、利用者が識別可能であれば形態は問わない。
以上説明したように本実施形態によれば、保存されたデータの保護を多重に設定するための複数の保護情報を実データと共に保存して、この保存した保護状態を様々な条件や形態に基づいて提示する画面を生成する。またこの生成した画面によって、任意の用途に対応した保護状態の設定切替えも可能となるので、任意のユーザによる任意の用途に対応してデータを保護することができ、すなわち、利用者にとって利便性のよいデータ保護に関する設定や確認を実行することができる。
【００５４】
また本発明は、上述した実施形態に限定されるものではなく、本発明の要旨を変えない範囲において、種々の変更、改変等が可能である。
【符号の説明】
【００５５】
１０…テレビジョン受像機、２０…放送波処理部、３１…操作部、３２…受光部、４０…信号処理制御部、５１…ネットワークＩＦ部、６１…表示器、６２…スピーカ、７１…ＨＤＤ、ＲＣ…リモコン、１０１…データ管理部、１０２…ＯＳＤ生成部。
【図１】
2010238155.tif 000003
【図２】
2010238155.tif 000004
【図３】
2010238155.tif 000005
【図４】
2010238155.tif 000006
【図５】
2010238155.tif 000007